(57)【要約】      （修正有）【課題】横たわっている人に、身体各部位のマッサージ運動または体位変換の動作の補助ができるマットレスを提供する。【解決手段】マットレスに横たわっている人が、快適な通気性を感じることができるようにするだけでなく、首、背中、腰、臀部及びび腿の各箇所に、すべてひとつまたは複数の気嚢体を設け、各気嚢体を管につなぎ、各管を気嚢体に対して空気の充填または放出をすることができるコントローラーにつなぐことによって、局部または全身のマッサージを得られるようにし、同時に介護者が横たわっている人に対して体位変換を行うことを補助する。【選択図】図１
0003109659.tif 000002
【実用新案登録請求の範囲】
【請求項１】
マットレスの人体の首、背中、腰、臀部及びふくらはぎなどに対応する各位置に、繰り返し膨張及び收縮が可能な気嚢体を設け、各部位の気嚢体がひとつまたは複数設置された体位変換、マッサージ及び通気性を有するマットレス。
【請求項２】
実用新案登録請求の範囲の請求項１に述べた体位変換、マッサージ及び通気性を有するマットレスのうち、各気嚢体にそれぞれ管がつながれ、各管の別の端にはポンプ、制御弁及び制御装置のコントローラーがつながれ、コントローラーによって各気嚢体を制御し、単独または連合して繰り返し、または順番に空気を充満させたり放出したりするもの。
【請求項３】
実用新案登録請求の範囲の請求項１に述べた体位変換、マッサージ及び通気性を有するマットレスのうち、マットレスに布で覆われたクッションがあり、クッションの上方に少なくとも１層の弾性及び通気性の高い三次元立体編織物のパッドがあるもの。
【考案の詳細な説明】
【技術分野】
【０００１】
本考案は、各気嚢体に対する空気充填、放出の膨張収縮作用によって、横たわっている人に、身体各部位のマッサージ運動または体位変換の動作の補助を提供するための、マットレス内の特定位置にそれぞれ各種の適切な形状の気嚢体を設けたマットレスに関する。
【背景技術】
【０００２】
従来のエアマットレスの種類は多く、図１３、１４に示した構造は、主にトップカバー１２、ベースマット１３、複数の空気充填柱体１４、入気管１６及び入気支管１７などによって構成されており、該ベースマット１３の内側に対称のベルト１５が縫い付けられており、該ベルト１５の位置決め孔によって、空気充填柱体１４を順番にその中に通して位置決めし、ベースマット１３のベルト１５の位置決め孔に通す複数の空気充填柱体１４は、その脇でそれぞれ導管１８と１本の入気支管１７の三又継手で接続され、同時に各入気支管１７は、身体を少なくとも頭部エアクッション部、中央エアクッション部、ふくらはぎエアクッション部などの３つの部分に分けて横たわらせ、そのうち中央エアクッション部に位置する入気支管は，三又継手と入気管で接続し、該入気管は空気ポンプ３０の入気継手に接続されている。また、中央エアクッション部の両側に位置する入気支管には、それぞれ節流弁３１が設けられており、頭部エアクッション部及びふくらはぎエアクッション部の外側に位置する入気支管には、それぞれ排気節流弁３２が設けられている。
【０００３】
そのため、入気支管の中央で入気管と接続し、入気支管に入気量を制御する節流弁３１が設けられ、また入気支管の末端には空気充填柱体から排出される空気の速度を制御する排気節流弁３２が設けられ、各部分の空気充填柱体１４の硬度と身体重力の分布を調節し、皮膚とエアマットレス１１の接触圧を和らげている。
【考案の開示】
【考案が解決しようとする課題】
【０００４】
前述のエアマットレス１１には、人体をリラックスさせる作用があるが、下記のような問題が見受けられる。（１）エアマットレス１１上層に敷かれたトップカバー１２は、エアマットレス１１のトップ面を平らな横たわる面にし、各空気充填柱体１４は異なる高さの膨張によって頭部、中央及び腿の起伏を調整するが、人体工学に合致して横たわらせることしか達成することはできず、人体により進んだマッサージ運動の作用をもたらすことはできない。（２）エアマットレス１１は通気性のある装置を提供するが、行動できない寝たきりの人は、絶えず体位変換をしなければ、褥瘡の発生を避けることはできず、行動できない寝たきりの人の体位変換をする際に、適合した器具または他人の補助がなければ、介護者にとって、非常に力仕事であり困難な作業である。（３）エアマットレス１１の構造は複雑であり、体積は大きく、運搬や収納に不利であり、同時に製造原価も高く、消費者の経済的負担を強いるものである。
【課題を解決するための手段】
【０００５】
前述の課題を解決するため、マットレスの首、背中、腰、臀部及び腿の各箇所に、すべてひとつまたは数個の気嚢体を設け、同時に各気嚢体を管につなぎ、管を空気を充填し放出するコントローラーに接続する。
【０００６】
上述の空気を充填し放出するコントローラーは、各部位の気嚢体に単独または同時に空気充填または空気放出の動作を行うことができるだけでなく、各部位の気嚢体を順番に充填・放出することができることを特徴とするマットレスである。
【考案の効果】
【０００７】
そのため、本考案のマットレス内のそれぞれの部位の気嚢体が単独で膨張と収縮の起伏作用をする際に、横たわっている人の首、肩、背中、腰、臀部または脚部の各箇所で、局部の個別のマッサージを行う。
【０００８】
また、各部位の気嚢体で、連続して順番に膨張と収縮の起伏を行い、さらに全身運動マッサージの作用をもたらすことができる。
【０００９】
また、身体の片側の気嚢体を膨張させると、横たわっている人の身体の片側が持ち上げられ、横たわっている人が横向きの状態になり、介護者にとって便利であり、あまり力を費やさずに、患者に対して体位変換したり、体を拭いたり、マッサージをしたりすることができる。
【００１０】
さらに、横たわっている人の身体の各部位が気嚢体によって持ち上げられる際に、身体とマットレスとの間に自然に適切な隙間が形成され、通気性のある放熱の効果が得られる。
【００１１】
次に、構造が比較的簡単であり、製造上も比較的容易であるため，原価をさらに低廉にすることができる。
【考案を実施するための最良の形態】
【００１２】
図１に示したマットレス１０では、それぞれ人体が横たわった時の首、背中、腰、臀部及びふくらはぎなどの特定の位置に、すべてひとつ、または複数の空気充填、空気放出して膨張・収縮することが可能な気嚢体１１、１２、１３、１４、１５が設けられており、各気嚢体１１、１２、１３、１４、１５のにそれぞれ管１６があり、ポンプ、制御弁及び制御装置のあるコントローラー１７に接続されている。そのため、コントローラー１７によって各気嚢体１１、１２、１３、１４、１５を単独或または連合して同時にまたは順番に膨張・収縮するように制御し、同時に気嚢体１１、１２、１３、１４、１５の膨張・収縮の回数、頻度及び時間は、すべて既定の運動モードによって制御することができ、また自分で設定することもできる。
【００１３】
図２に示したマットレス１０は、主に布で覆われたマットレスクッション１８１、１８２上方に、１層の弾性及び通気性の高い三次元立体編織物のパッド１９１があり、同時にパッド１９１の上に、１層の薄いが透孔密度の高い２層目のパッド１９２が増設されており、その上に横たわる使用者は、比較的ムラのない支えを受けることができるだけでなく、優れた圧力分散の作用及び良好な弾性があり、横たわっている人に軟らかさと快適さを倍に感じさせ、同時に優れた通気性と放熱効果もあり、水気を吸收せず、横たわっている人にさっぱりとしたさわやかさを感じさせ、特にパッド１９１、１９２を敷くことによって、マットレス１０が汚れにくくなり、きれいに洗浄することもできる。
【００１４】
また、上述の各気嚢体１１、１２、１３、１４、１５の、人体に対する作用が生み出す運動モードの変化は次のとおりである。（１）図２、３に示すように、首のところにある気嚢体１１を膨張させると、首を上向きに持ち上げ、頭部が上向きにもたげたようになり、同時に背、肩も上に引っ張られて宙に浮き、このような反復する収縮・膨張によって、首の筋肉及び筋骨に温和なマッサージを施す。（２）図４、５に示すように、背中の左右の２つの気嚢体１２を同時または順番に収縮・膨張させると、肩関節、三角筋下関節、肩甲胸郭関節、肩鎖関節、胸鎖関節及び肩の付近の多くの筋肉に、温和に伸展及び收縮させる協調運動とマッサージをもたらし、肩こりを軽減、解消することができる。（３）図６、７に示すように、腰にある気嚢体１３を繰り返し膨張及び收縮させると、腹部を持ち上げ、背中の脊椎及びその関節、脊椎両側の靭帯、筋肉などに、繰り返し温和な伸展及び湾曲をもたらし、緊張していた筋骨をリラックスさせ、疲労を取り除くことができる。（４）図８、９に示すように、臀部にある気嚢体１４を繰り返し収縮・膨張させると、尾椎及びその周囲の筋肉を伸ばし、マッサージすることができる。（５）図１０、１１に示すように、ふくらはぎにある気嚢体１５を繰り返し収縮・膨張させると、脚部の末端を繰り返し持ち上げ、下げることができ、腿にリズムのある波動をもたらし、血液の流動循環を促進し、疲労を取り除くことができる。（６）図１２に示すように、背中にある片側の気嚢体１２に空気を充填し膨張させ、反対側の気嚢体１２には空気を充填せず膨張させないと、人の身体は片側だけが持ち上げられ、行動できない横たわっている人の身体を、より楽に体位変換することができる。
【００１５】
つまり、マットレス１０に設けられた形状、機能がそれぞれ異なる気嚢体１１、１２、１３、１４、１５が、独自に、または複数の連合して同時にまたは順番に収縮・膨張することによって、人体の各部位の筋肉、筋骨を首、肩、背中、腹部、腰、臀部または腿から持ち上げ、下げ、または捻る動きのある運動及びマッサージを行い、各箇所のこりをリラックスさせ、解消し、脊椎間骨、腿及び各箇所の筋肉間の圧力を伸展させ、血液の循環を促すといった効果があり、同時に人体がマットレス１０に横たわっている時に、通風及び体位変換の効果をもたらし、介護人員が患者の身体を拭きやすくする効果がある。
【図面の簡単な説明】
【００１６】
【図１】本考案の立体外観見取図。
【図２】本考案の気嚢体の首での動作状態。
【図３】本考案の首での運動範囲の見取図。
【図４】本考案の気嚢体の背中での動作状態。
【図５】本考案の在背中運動範囲的見取図。
【図６】本考案の気嚢体の腰での動作状態。
【図７】本考案の腰での運動範囲の見取図。
【図８】本考案の気嚢体の臀部での動作状態。
【図９】本考案の臀部での運動範囲の見取図。
【図１０】本考案の気嚢体のふくらはぎでの動作状態。
【図１１】本考案の在ふくらはぎ運動範囲的見取図。
【図１２】本考案の人体に対する体位変換の動作の簡易見取図。
【図１３】従来のマットレスの構造見取図。
【図１４】従来のマットレスの側面断面図。
【符号の説明】
【００１７】
１０  マットレス
１１、１２、１３、１４、１５  気嚢体
１６  管
１７  コントローラー
１８１、１８２  クッション
１９１、１９２  パッド
【図１】
0003109659.tif 000003
【図２】
0003109659.tif 000004
【図３】
0003109659.tif 000005
【図４】
0003109659.tif 000006
【図５】
0003109659.tif 000007
【図６】
0003109659.tif 000008
【図７】
0003109659.tif 000009
【図８】
0003109659.tif 000010
【図９】
0003109659.tif 000011
【図１０】
0003109659.tif 000012
【図１１】
0003109659.tif 000013
【図１２】
0003109659.tif 000014
【図１３】
0003109659.tif 000015
【図１４】
0003109659.tif 000016